(57)【特許請求の範囲】
【請求項１】
沈殿池に沈殿した汚泥を掻き寄せる汚泥掻き寄せ機において、
前記沈殿池の水面の上方に設けられ、水平方向に延びる旋回アームと、
前記旋回アームを回転させる駆動装置と、
前記旋回アームから前記沈殿池内に吊り下げられた複数の懸垂棒と、
前記複数の懸垂棒に固定された取り付け部材と、
前記旋回アームの中心線に対して傾斜して配置され、前記取り付け部材に取り付けられた掻き寄せ板とを備えており、
前記懸垂棒は前記旋回アームに着脱可能に連結されており、
前記懸垂棒を鉛直方向に上昇させて前記懸垂棒を前記旋回アームから取り外すことで、前記懸垂棒、前記取り付け部材、及び前記掻き寄せ板を水面から引き上げることが可能に構成されていることを特徴とする汚泥掻き寄せ機。
【請求項２】
前記取り付け部材は前記懸垂棒に着脱可能に固定されていることを特徴とする請求項１に記載の汚泥掻き寄せ機。
【請求項３】
前記懸垂棒は、１つの取り付け部材に対して３本以上設けられ、
前記懸垂棒はその進行方向から見て重ならないように配置されていることを特徴とする請求項１または２に記載の汚泥掻き寄せ機。
【請求項４】
前記複数の懸垂棒の間には斜材が斜めに延びており、
前記複数の懸垂棒と前記斜材とでトラス構造体を形成していることを特徴とする請求項１乃至３のいずれか一項に記載の汚泥掻き寄せ機。
【請求項５】
沈殿池に沈殿した汚泥を掻き寄せる汚泥掻き寄せ機において、
前記沈殿池の水面の上方に設けられ、水平方向に延びる旋回アームと、
前記旋回アームを回転させる駆動装置と、
前記旋回アームから前記沈殿池内に吊り下げられた複数の懸垂棒と、
前記複数の懸垂棒に固定された取り付け部材と、
前記旋回アームの中心線に対して傾斜して配置され、前記取り付け部材に取り付けられた掻き寄せ板とを備えており、
前記懸垂棒は前記旋回アームに着脱可能に連結されており、
前記懸垂棒を前記旋回アームから取り外すことで、前記懸垂棒、前記取り付け部材、及び前記掻き寄せ板を水面から引き上げることが可能に構成されており、
前記複数の懸垂棒の間には斜材が斜めに延びており、
前記複数の懸垂棒と前記斜材とでトラス構造体を形成しており、
前記懸垂棒及び前記斜材は、前記旋回アーム及び前記取り付け部材にピン結合されており、前記斜材の一部は、伸縮自在な伸縮部材から構成されていることを特徴とする汚泥掻き寄せ機。
【請求項６】
前記沈殿池の水面よりも上方に位置し、前記掻き寄せ板への過負荷を検知する過負荷検知機構をさらに備え、
前記過負荷検知機構は、前記懸垂棒に直接的または間接的に接続され、該懸垂棒と同期して動くように構成されていることを特徴とする請求項５に記載の汚泥掻き寄せ機。
【請求項７】
前記旋回アームは、前記懸垂棒及び前記掻き寄せ板を昇降させる昇降機構を備えており、
前記掻き寄せ板は、前記昇降機構により上昇または下降した位置において前記沈殿池の汚泥を掻き寄せることを特徴とする請求項１乃至６のいずれか一項に記載の汚泥掻き寄せ機。
【発明の詳細な説明】
【技術分野】
【０００１】
本発明は、沈殿池に沈殿した汚泥を掻き寄せる汚泥掻き寄せ機に関し、特に、円形沈殿池内に設置される汚泥掻き寄せ機に関するものである。
【背景技術】
【０００２】
汚泥掻き寄せ機とは、水処理用の沈殿池内に沈殿した汚泥を掻き寄せ板により掻き寄せるものである。特許文献１には、掻き寄せ板が取り付けられたアームの先端にキャスターが設けられており、このキャスターが池底を走行しながら掻き寄せ板で汚泥を掻き寄せる汚泥掻き寄せ機が開示されている。しかしながら、キャスターは汚泥の中を進むため、キャスターのメンテナンスが必要となる。また、沈殿池の底部は傾斜していたり、凸凹しているため、キャスターの動きが不安定になり、掻き寄せ板が正常に動かないといった問題がある。
【０００３】
特許文献２には、掻き寄せ板を水平軸を中心に回動可能として、掻き寄せ板に負荷が掛かった場合に掻き寄せ板を上昇させる昇降装置を備えた汚泥掻き寄せ機が開示されている。しかしながら、この汚泥掻き寄せ機では、昇降装置が不調の際、これを点検するためには池内の水抜きが必要であり、さらに、昇降装置や掻き寄せ板が損傷したときに、これらの部材を沈殿池から引き上げて修理または交換を行うことができなかった。
【先行技術文献】
【特許文献】
【０００４】
【特許文献１】実開昭５８−７８１１０号公報
【特許文献２】特開昭５８−１３９７１１号公報
【発明の概要】
【発明が解決しようとする課題】
【０００５】
本発明は、上述した従来の問題点を解決するためになされたもので、維持管理が容易な汚泥掻き寄せ機を提供することを目的とする。
【課題を解決するための手段】
【０００６】
上述した目的を達成するために、本発明の一態様は、沈殿池に沈殿した汚泥を掻き寄せる汚泥掻き寄せ機において、前記沈殿池の水面の上方に設けられ、水平方向に延びる旋回アームと、前記旋回アームを回転させる駆動装置と、前記旋回アームから前記沈殿池内に吊り下げられた複数の懸垂棒と、前記複数の懸垂棒に固定された取り付け部材と、前記旋回アームの中心線に対して傾斜して配置され、前記取り付け部材に取り付けられた掻き寄せ板とを備えており、前記懸垂棒は前記旋回アームに着脱可能に連結されており、前記懸垂棒を鉛直方向に上昇させて前記懸垂棒を前記旋回アームから取り外すことで、前記懸垂棒、前記取り付け部材、及び前記掻き寄せ板を水面から引き上げることが可能に構成されていることを特徴とする。
【０００７】
本発明の好ましい態様は、前記取り付け部材は前記懸垂棒に着脱可能に固定されていることを特徴とする。
本発明の好ましい態様は、前記懸垂棒は、１つの取り付け部材に対して３本以上設けられ、前記懸垂棒はその進行方向から見て重ならないように配置されていることを特徴とする。
本発明の好ましい態様は、前記複数の懸垂棒の間には斜材が斜めに延びており、前記複数の懸垂棒と前記斜材とでトラス構造体を形成していることを特徴とする。
本発明の他の態様は、沈殿池に沈殿した汚泥を掻き寄せる汚泥掻き寄せ機において、前記沈殿池の水面の上方に設けられ、水平方向に延びる旋回アームと、前記旋回アームを回転させる駆動装置と、前記旋回アームから前記沈殿池内に吊り下げられた複数の懸垂棒と、前記複数の懸垂棒に固定された取り付け部材と、前記旋回アームの中心線に対して傾斜して配置され、前記取り付け部材に取り付けられた掻き寄せ板とを備えており、前記懸垂棒は前記旋回アームに着脱可能に連結されており、前記懸垂棒を前記旋回アームから取り外すことで、前記懸垂棒、前記取り付け部材、及び前記掻き寄せ板を水面から引き上げることが可能に構成されており、前記複数の懸垂棒の間には斜材が斜めに延びており、前記複数の懸垂棒と前記斜材とでトラス構造体を形成しており、前記懸垂棒及び前記斜材は、前記旋回アーム及び前記取り付け部材にピン結合されており、前記斜材の一部は、伸縮自在な伸縮部材から構成されていることを特徴とする。
【０００８】
本発明の好ましい態様は、前記沈殿池の水面よりも上方に位置し、前記掻き寄せ板への過負荷を検知する過負荷検知機構をさらに備え、前記過負荷検知機構は、前記懸垂棒に直接的または間接的に接続され、該懸垂棒と同期して動くように構成されていることを特徴とする。
本発明の好ましい態様は、前記旋回アームは、前記懸垂棒及び前記掻き寄せ板を昇降させる昇降機構をさらに備え、前記掻き寄せ板は、前記昇降機構により上昇または下降した位置において前記沈殿池の汚泥を掻き寄せることを特徴とする。
【発明の効果】
【０００９】
本発明によれば、懸垂棒は旋回アームから取り外すことができるため、懸垂棒及びこれに連結された掻き寄せ板を沈殿池からチェーンブロックなどを用いて引き上げることができる。したがって、掻き寄せ板の修理、交換が可能となり、汚泥掻き寄せ機の維持管理が容易となる。
【００１０】
また、本発明によれば、掻き寄せ板は懸垂棒により旋回アームから吊り下げられるので、掻き寄せ板を池底から支持するためのキャスターなどの機構は不要となる。したがって、汚泥掻き寄せ機の維持管理性が向上する。さらに、本発明によれば、掻き寄せ板はトラス構造体により堅固に支持されているので、池底に堆積している汚泥を確実に掻き寄せることができる。
【図面の簡単な説明】
【００１１】
【図１】汚泥掻き寄せ機の正面図である。
【図２】図１に示す掻き寄せ板、取り付けフレーム、及び旋回アームを上から見た図である。
【図３】旋回アーム，懸垂棒，取り付けフレーム，及び掻き寄せ板を模式的に示す斜視図である。
【図４】図３の一部を示す図である。
【図５】図５（ａ）は懸垂フレームと懸垂棒との結合部、及び懸垂フレームと水平アームとの結合部を示す拡大図であり、図５（ｂ）は懸垂棒が懸垂フレームに連結される様子を示す図である。
【図６】懸垂フレームの上下動を案内するガイド部材を設けた例を示す図である。
【図７】トラス構造体及び掻き寄せ板の側面図である。
【図８】トラス構造体及び掻き寄せ板が引き上げられる様子を示す図である。
【図９】トラス構造体の他の実施形態を示す斜視図である。
【図１０】図９に示すトラス構造体及び掻き寄せ板の側面図である。
【図１１】掻き寄せ板に負荷が掛かったときに図１０に示すトラス構造体が変形する様子を示す図である。
【発明を実施するための形態】
【００１２】
以下、本発明の実施形態について図面を参照して説明する。
図１は、本発明の一実施形態に係る汚泥掻き寄せ機の正面図であり、図２は、図１に示す掻き寄せ板、取り付けフレーム、及び旋回アームを上から見た図である。汚泥掻き寄せ機１は、円形の沈殿池５の中に設置されている。汚泥掻き寄せ機１は、沈殿池５の水面の上方に配置された、水平方向に延びる旋回アーム１６と、旋回アーム１６を回転させる駆動装置２０と、旋回アーム１６から沈殿池５内に吊り下げられた懸垂棒１４と、懸垂棒１４の下端に固定された取り付けフレーム（取り付け部材）１２と、沈殿池５の底部に沈殿した汚泥を沈殿池５の中心に掻き寄せる複数の掻き寄せ板１０とを備えている。掻き寄せ板１０は、沈殿池５の底部からわずかに離間して取り付けフレーム１２に取り付けられている。
【００１３】
図２に示すように、各掻き寄せ板１０は、旋回アーム１６の中心線に対して所定の角度だけ傾斜している。したがって、図２の矢印に示す方向に旋回アーム１６が回転すると、掻き寄せ板１０は池底上の汚泥を沈殿池５の中心に向かって掻き寄せる。
【００１４】
図１に示すように、懸垂棒１４は沈殿池５の水面よりも上方に延びている。旋回アーム１６は、沈殿池５の中央に設けられた回転支持機構２２に取り付けられており、回転支持機構２２とともに回転する。旋回アーム１６の上方には、歩廊１００が設けられている。回転支持機構２２には駆動装置２０が連結されており、駆動装置２０によって旋回アーム１６が回転される。本実施形態では、中心駆動式の汚泥掻き寄せ機を採用しているが、周辺駆動式の汚泥掻き寄せ機を採用してもよい。具体的な例は、旋回アーム１６を囲むように歯車が旋回アーム１６に固定され、この歯車と噛み合う歯車及びこの歯車を駆動するモータが沈殿池５の周辺部に設けられる。歯車の代わりにチェーンを旋回アーム１６に設け、このチェーンに噛み合うスプロケットホイールを、沈殿池５の周辺部に設けられたモータにより駆動してもよい。
【００１５】
沈殿池５の底部の中央には環状のサンプ２５が設けられており、掻き寄せ板１０によって掻き寄せられた汚泥はサンプ２５内に集められるようになっている。サンプ２５には、掻き集められた汚泥を排出する汚泥引き抜き管２６が接続されている。サンプ２５内にはサンプスクレーパ２４が設けられている。このサンプスクレーパ２４は、連結部材２８により懸垂棒１４と連結されており、懸垂棒１４が回転するとともにサンプスクレーパ２４がサンプ２５内を回転する。
【００１６】
回転支持機構２２は、沈殿池５の中央に設けられた支柱３０の上端に載置されている。回転支持機構２２は図示しない軸受を有しており、回転支持機構２２は支柱３０に対して回転可能となっている。支柱３０の底には、汚水を沈殿池５に供給するための汚水流入管３２が接続されている。支柱３０の上部には汚水出口３４が設けられている。支柱３０の周囲には、支柱３０の上部を取り囲むように円筒状のフィードウェル３６が設けられている。フィードウェル３６は支柱３０と同軸状に配置されている。汚水は、汚水流入管３２を通って支柱３０に供給され、汚水出口３４から排出される。さらに、汚水はフィードウェル３６の下部開口を通って沈殿池５内に流入する。
【００１７】
懸垂棒１４には、沈殿池５の水面に浮かぶスカムを掻き寄せるスカムブレード３８が取り付けられている。スカムとは、沈降しない油脂や繊維分などから構成される集合物である。沈殿池５の内周面には、スカムボックス３９が設けられており、スカムブレード３８により掻き寄せられたスカムは、スカムボックス３９の中に投入されるようになっている。沈殿池５の内周面には、汚泥から分離された上澄水を排出する排水トラフ４１が設けられており、上澄水は排水トラフ４１から排出されるようになっている。
【００１８】
図３は旋回アーム１６，懸垂棒１４，取り付けフレーム１２，及び掻き寄せ板１０を模式的に示す斜視図であり、図４は図３の一部を示す図である。旋回アーム１６は、一対の水平アーム１７，１７を備えている。懸垂棒１４は懸垂フレーム（連結ベース）４０を介して水平アーム１７，１７に着脱可能に連結されている。懸垂棒１４は懸垂フレーム４０から懸垂しており、取り付けフレーム１２は懸垂棒１４の下端に保持されている。
【００１９】
図４に示すように懸垂フレーム４０と取り付けフレーム１２との間には、３本の懸垂棒１４と２本の斜材４４が設けられている。３本の懸垂棒１４は鉛直に延びており、斜材４４は隣り合う２本の懸垂棒１４の間を斜めに延びている。これら３本の懸垂棒１４と２本の斜材４４とで１つのトラス構造体４３を形成している。なお、トラス構造体に代えて、ラーメン構造体を採用してもよい。本実施形態では、複数のトラス構造体４３が設けられ、各トラス構造体４３に複数の掻き寄せ板１０が着脱可能に取り付けられている。このトラス構造体４３により掻き寄せ板１０が堅固に支持される。懸垂棒１４は懸垂フレーム４０に着脱可能に取り付けられており、掻き寄せ板１０は取り付けフレーム１２に着脱可能に取り付けられている。
【００２０】
図１乃至図３に示すように、各取り付けフレーム１２には複数の掻き寄せ板１０が取り付けられている。本実施形態においては、１つの取り付けフレームに対して２つまたは３つの掻き寄せ板が取り付けられているが、１つの取り付けフレームに対して１つの掻き寄せ板が取り付けられてもよいし、４つ以上の掻き寄せ板が取り付けられてもよい。
【００２１】
図５（ａ）は懸垂フレーム４０と懸垂棒１４との結合部、及び懸垂フレーム４０と水平アーム１７との結合部を示す拡大図であり、図５（ｂ）は懸垂棒１４が懸垂フレーム４０に連結される様子を示す図である。図５（ａ）に示すように、懸垂フレーム４０と懸垂棒１４の一端部１４ａとは、ボルト（連結部材）５０によって結合されている。図５（ｂ）に示すように、懸垂棒１４の一端部１４ａには孔が設けられており、懸垂フレーム４０に固定された嵌合部５１，５１にも孔が設けられている。これらの孔が一致するように、懸垂棒１４の一端部１４ａが嵌合部５１，５１に嵌め込まれ、この孔にボルト５０が挿入される。ボルト５０にはナット５２が締め付けられ、これにより、懸垂棒１４が懸垂フレーム４０に結合される。
【００２２】
さらに、ナット５２をボルト５０から外し、ボルト５０を懸垂棒１４の一端部１４ａ及び嵌合部５１，５１の孔から取り出すことで、懸垂棒１４は懸垂フレーム４０から切り離される。取り付けフレーム１２と懸垂棒１４の他端部１４ｂ（図４参照）とは、図５（ｂ）と同様に連結部材としてのボルト（図示せず）によって結合されている。したがって、このボルトを取り外すことによって取り付けフレーム１２及び掻き寄せ板１０を懸垂棒１４から切り離すことが可能である。図示しないが、斜材４４の両端部も、連結部材としてのボルトにより懸垂フレーム４０および取り付けフレーム１２に結合されている。
【００２３】
図５（ａ）に示すように、旋回アーム１６は、懸垂棒１４を昇降させる昇降機構５５をさらに備えている。懸垂フレーム４０と水平アーム１７，１７とは昇降機構５５により連結されている。昇降機構５５は、懸垂フレーム４０に固定された支持部材５５ａと、水平アーム１７に固定された保持部材５５ｂと、保持部材５５ｂに固定された鉛直方向に延びるジャッキボルト５５ｃとを備えている。ジャッキボルト５５ｃは支持部材５５ａを貫通して延びている。ジャッキボルト５５ｃにはナット５５ｄ及びナット５５ｅが螺合されており、このナット５５ｄ及びナット５５ｅの間に支持部材５５ａが挟まれている。ジャッキボルト５５ｃ上のナット５５ｄ及びナット５５ｅの位置を変えることによって懸垂フレーム４０及び懸垂棒１４を上昇または下降させることができる。さらに、ナット５５ｄをジャッキボルト５５ｃから取り外すことにより、懸垂フレーム４０及びこれに連結された懸垂棒１４，取り付けフレーム１２，掻き寄せ板１０を旋回アーム１６から切り離すことができる。このように、昇降機構５５は、懸垂棒１４を着脱可能に旋回アーム１６に連結する連結機構としても機能する。昇降機構５５として、ジャッキボルトに代えてエアシリンダを用いてもよい。
【００２４】
図６に示すように、懸垂フレーム４０の上下動を案内するガイド部材５６を水平アーム１７，１７に設けてもよい。ガイド部材５６はＬ字形断面を有し、懸垂フレーム４０の角部をスライド自在に支持している。図６には１つのガイド部材５６のみが示されているが、４つのガイド部材５６が懸垂フレーム４０の四隅に配置されており、各ガイド部材５６が懸垂フレーム４０の角部を支持している。これらのガイド部材５６は、汚泥掻き寄せ時に発生する負荷を支持することができ、昇降機構５５のジャッキボルト５５ｃに負荷が掛からないようにすることができる。
【００２５】
図７に示すように、昇降機構５５により懸垂棒１４が上昇されると、掻き寄せ板１０も上昇される。例えば、沈殿池５の底に異物がある場合、掻き寄せ板１０は異物よりも高い位置まで上昇される。この状態で、掻き寄せ板１０は異物を避けて汚泥を掻き寄せることができる。また、汚泥の掻き寄せにより掻き寄せ板１０に掛かる負荷が増えた場合、掻き寄せ板１０をある程度上昇させることで、掻き寄せ板１０は負荷が軽減された状態で汚泥を掻き寄せることができる。このように、昇降機構５５は、汚泥を掻き寄せるときの掻き寄せ板１０の位置を調整することができる。
【００２６】
次に、上述のように構成された汚泥掻き寄せ機の動作について説明する。
駆動装置２０により回転支持機構２２が回転すると、回転支持機構２２を中心に旋回アーム１６が図２に示す矢印方向に回転する。旋回アーム１６が回転することで、懸垂棒１４及び掻き寄せ板１０も回転する。
【００２７】
汚水流入管３２には汚水が流入し、汚水は支柱３０の上部に設けられた汚水出口３４から排出される。さらに汚水はフィードウェル３６を通して沈殿池５内に供給される。フィードウェル３６は汚水出口３４から排出された汚水を整流する役割を持っている。図２に示すように、掻き寄せ板１０は、旋回アーム１６の中心線に対して、所定の角度だけ傾斜しているので、掻き寄せ板１０が図２の矢印方向に回転することで、池底上の汚泥は沈殿池５の中心方向にかき集められる。
【００２８】
かき集められた汚泥は、沈殿池５の中央に設けられたサンプ２５内に溜まる。懸垂棒１４が回転すると、サンプスクレーパ２４も回転するため、サンプスクレーパ２４によりサンプ２５内の汚泥の流動状態が維持される。サンプ２５に溜まった汚泥は、汚泥引き抜き管２６から引き抜かれる。沈殿池５の水面に浮かぶスカムはスカムブレード３８によって沈殿池５の半径方向外側へ移動され、スカムボックス３９の中に投入される。汚泥から分離された上澄水は、排水トラフ４１から排出される。
【００２９】
懸垂棒１４は、沈殿池５内の汚泥を横切ることによってピケットフェンスの効果を発揮する。このピケットフェンスの効果（みずみち（水路）形成効果ともいう）とは、汚泥の濃縮性を高める効果である。すなわち、懸垂棒１４が沈殿池５内を進むと、沈殿池５内に沈殿した汚泥は懸垂棒１４により切断され、鉛直方向に延びる水路が汚泥に形成される。汚泥の中には気泡が含まれているため、形成された水路を通って気泡が抜ける。これにより、汚泥の濃縮性が高まる。複数の懸垂棒が重なって配置されると、懸垂棒のピケットフェンスの効果が薄れてしまう。そこで、それぞれの懸垂棒１４がピケットフェンスの効果を発揮しうるように、各トラス構造体４３を構成する３本の懸垂棒１４はその進行方向（図４の矢印で示す）において正面から見て重ならないように配置されている。懸垂棒１４は水面よりも上方に延びているので、汚泥が水面付近まで沈殿していても、懸垂棒１４は確実に汚泥を切断して水路を形成することができる。各トラス構造体４３に４本以上の懸垂棒１４を設け、これら懸垂棒１４をその進行方向から見て重ならないように配置してもよい。
【００３０】
図８は、トラス構造体４３及び掻き寄せ板１０が引き上げられる様子を示す図である。複数の掻き寄せ板１０のうちのいずれかに異物が噛み込んで汚泥掻き寄せ機１が動かなくなった場合には、図８に示すように、噛み込んだ掻き寄せ板１０が取り付けられているトラス構造体４３を引き上げることで問題は解消される。掻き寄せ板１０が異物を噛み込み、掻き寄せ板１０が破損した場合は、破損した掻き寄せ板１０を引き上げることで、掻き寄せ板１０の修理、交換が可能となる。したがって、汚泥掻き寄せ機の維持管理が容易となる。特に、複数のトラス構造体４３のそれぞれが旋回アーム１６に取り外し可能に連結されているので、トラス構造体４３ごとに個別に引き上げることができる。
【００３１】
掻き寄せ板１０の引き上げは次のようにして行われる。図５（ａ）及び図５（ｂ）に示すように、旋回アーム１６と懸垂フレーム４０とは昇降機構（連結機構）５５によって結合されているため、昇降機構５５のナット５５ｄを外すことで、懸垂フレーム４０が旋回アーム１６から切り離される。懸垂フレーム４０及びこれに連結されている懸垂棒１４は、図８に示すように、歩廊１００から図示しないチェーンブロックにより引き上げられる。このようにして、懸垂棒１４と共に取り付けフレーム１２及び掻き寄せ板１０を沈殿池５の水面から引き上げることができる。なお、懸垂棒１４と懸垂フレーム４０とを連結するボルト５０を外すことによって、懸垂棒１４を旋回アーム１６から切り離すことも可能である。
【００３２】
取り付けフレーム１２に浮力を持たせたり、取り付けフレーム１２を樹脂で構成してもよい。このような構成により、取り付けフレーム１２が軽くなるため、掻き寄せ板１０をより引き上げやすくなる。また、取り付けフレーム１２が樹脂により構成されることで、耐食性が向上するため、さらに維持管理が容易となる。取り付けフレーム１２に浮力を持たせる例として、取り付けフレーム１２にフロートを設けてもよく、または、取り付けフレーム１２を中空パイプから構成してもよい。
【００３３】
懸垂棒１４は単一部材により構成されているが、懸垂棒１４にヒンジを設けてもよい。ヒンジは、懸垂棒１４が進む方向には屈折しないように構成されている。ヒンジの屈折部をワイヤーや紐などにより引き上げることにより、掻き寄せ板１０を容易に引き上げることができる。したがって、汚泥掻き寄せ機の維持管理がより容易となる。
【００３４】
図９はトラス構造体の他の実施形態を示す斜視図である。斜材４４の一部は、ばねからなる伸縮部材４５から構成されている。図９に示す実施形態では、２本の斜材４４の一部が１つの共通の伸縮部材４５から構成されているが、それぞれの斜材４４の一部がそれぞれ別の伸縮部材４５から構成されていてもよい。伸縮部材４５として、ばねに代えてダンパーを用いてもよい。
【００３５】
懸垂棒１４の一端部１４ａは懸垂フレーム４０にピン結合されており、懸垂棒１４の他端部１４ｂは取り付けフレーム１２にピン結合されている。さらに、斜材４４の一端部４４ｂは懸垂フレーム４０にピン結合されており、斜材４４の他端部４４ｂは取り付けフレーム１２にピン結合されている。このような構成により、トラス構造体４３は変形可能となっている。本実施形態では、懸垂棒１４及び斜材４４は、懸垂フレーム４０を介して間接的に旋回アーム１６にピン結合により連結されているが、懸垂棒１４及び斜材４４は、直接に旋回アーム１６にピン結合により連結されてもよい。
【００３６】
図１０は、図９に示すトラス構造体及び掻き寄せ板の側面図であり、図１１は、掻き寄せ板に負荷が掛かったときに図１０に示すトラス構造体が変形する様子を示す図である。図１１に示すように、掻き寄せ板１０は矢印Ａ方向に進む。汚泥の掻き寄せや異物の噛み込みにより、掻き寄せ板１０に過負荷が掛かった場合、掻き寄せ板１０は矢印Ｂ方向に示すように、進行方向に対して後ろに、かつ上方に移動する。斜材４４の一部は伸縮部材４５から構成されているので、懸垂棒１４及び斜材４４は２点鎖線で示す方向に移動し、掻き寄せ板１０の矢印Ｂ方向への移動を許容する。したがって、掻き寄せ板１０に掛かる負荷が軽減され、掻き寄せ板１０の破損や変形が防止される。
【００３７】
図１０に示すように、懸垂棒１４の上部には負荷検知棒（過負荷検知機構）６０が直接またはリンク等を介して間接的に接続されている。この負荷検知棒６０は水面よりも上方に設けられている。負荷検知棒６０は、懸垂棒１４と同期して動くようになっている。例えば、掻き寄せ板１０に過負荷が掛かると、掻き寄せ板１０は矢印Ｂ方向に移動する。このとき、懸垂棒１４が図１１の２点鎖線に示すように傾くと、負荷検知棒６０も２点鎖線に示すように傾く。負荷検知棒６０は水面よりも上方に延びているため、どの掻き寄せ板１０に負荷が掛かっているのか容易に発見できる。したがって、汚泥掻き寄せ機の維持管理が容易になる。
【００３８】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００３９】
１      汚泥掻き寄せ機
５      沈殿池
１０    掻き寄せ板
１２    取り付けフレーム
１４    懸垂棒
１４ａ  懸垂棒の一端部
１４ｂ  懸垂棒の他端部
１６    旋回アーム
１７    水平アーム
２０    駆動装置
２２    回転支持機構
２４    サンプスクレーパ
２５    サンプ
２６    汚泥引き抜き管
２８    連結部材
３０    支柱
３２    汚水流入管
３４    汚水出口
３６    フィードウェル
３８    スカムブレード
３９    スカムボックス
４０    懸垂フレーム
４１    排水トラフ
４３    トラス構造体
４４    斜材
４４ａ  斜材の一端部
４４ｂ  斜材の他端部
４５    伸縮部材
５０    ボルト（連結部材）
５１    嵌合部
５２    ナット
５５    昇降機構
５５ａ  支持部材
５５ｂ  保持部材
５５ｃ  ジャッキボルト
５５ｄ、５５ｅ    ナット
５６    ガイド部材
６０    負荷検知棒（過負荷検知機構）
１００  歩廊
【図１】
0005968661.tif 000002
【図２】
0005968661.tif 000003
【図３】
0005968661.tif 000004
【図４】
0005968661.tif 000005
【図５】
0005968661.tif 000006
【図６】
0005968661.tif 000007
【図７】
0005968661.tif 000008
【図８】
0005968661.tif 000009
【図９】
0005968661.tif 000010
【図１０】
0005968661.tif 000011
【図１１】
0005968661.tif 000012